(57)【要約】  【目的】  入力したパスワードを他人に知られないようにする。  【構成】  ディジタル・スチル・カメラ１の接眼用ファインダ４には，入力されたユーザＩＤおよびパスワードの両方ともが表示される。液晶ビューワ６には，入力されたユーザＩＤは表示されるが，パスワードはが表示されずにアスタリスクが表示される。接眼用ファインダ４はディジタル・スチル・カメラ１のユーザが覗いているので他人は覗けない。パスワードを他人に見られることなく，入力したパスワードを確認できる。  【選択図】    図６
2005311547.tif 000002
【特許請求の範囲】
【請求項１】
シークレット情報およびパブリック情報を入力する入力装置，
目の大きさに対応した接眼用表示画面を有する接眼用表示装置，
上記入力装置から入力したシークレット情報およびパブリック情報を上記接眼用表示画面に表示するように上記接眼用表示装置を制御する接眼用表示制御手段，
上記接眼用表示画面よりも大きな公開用表示画面を有する公開用表示装置，ならびに
上記入力装置から入力したシークレット情報およびパブリック情報のうちのパブリック情報を上記公開用表示画面に表示するように上記公開用表示装置を制御する公開用表示制御手段，
を備えた入力情報表示制御装置。
【請求項２】
上記公開用表示制御手段が，
上記入力装置から入力したシークレット情報およびパブリック情報のうちのパブリック情報を上記公開用表示画面に表示し，あらかじめ定められた符号を上記公開用表示画面に表示するように上記公開用表示装置を制御するものである，
請求項１に記載の入力情報表示制御装置。
【請求項３】
被写体を撮像し，得られた被写体像を視認するファインダ画面をもつファインダと被写体像を表示するビューワ画面とを備えたディジタル・カメラにおいて，
シークレット情報およびパブリック情報を入力する入力装置，
上記入力装置から入力したシークレット情報およびパブリック情報を上記ファインダ画面に表示するように上記ファインダを制御するファインダ制御手段，ならびに
上記入力装置から入力したシークレット情報およびパブリック情報のうちのパブリック情報を上記ビューワ画面に表示するように上記ビューワを制御するビューワ制御手段，
を備えたディジタル・カメラ。
【請求項４】
上記ファインダは，上記被写体像を結像する光学レンズと液晶表示装置とを有し，
上記ファインダ制御手段は，上記液晶表示装置に上記シークレット情報および上記パブリック情報を表示するものである，
請求項３に記載のディジタル・カメラ。
【請求項５】
目の大きさに対応した接眼用表示画面を有する接眼用表示装置，
上記接眼用表示画面よりも大きな公開用表示画面を有する公開用表示装置，
与えられる画像データによって表される画像がシークレット画像かどうかを判定するシークレット画像判定手段，ならびに
上記シークレット画像判定手段によってシークレット画像と判定されたことにより上記画像を上記接眼用表示画面に表示し，上記公開用表示画面への表示を停止するように上記接眼用表示装置および上記公開用表示装置を制御する表示制御手段，
を備えた画像表示装置。
【請求項６】
上記表示制御手段が，上記シークレット画像判定手段によってシークレット画像と判定されたことにより上記画像を上記接眼用表示画面に表示し，上記公開用表示画面への表示を停止し，かつ警告文を表示するように上記接眼用表示装置および上記公開用表示装置を制御するものである，
請求項５に記載の画像表示装置。
【請求項７】
被写体を撮像し，得られた被写体像を表示するファインダ画面をもつファインダとビューワ画面をもつビューワとを備えたディジタル・カメラにおいて，
記録媒体に記録されている画像データを読み取り再生する再生手段，
上記再生手段によって再生された画像がシークレット画像かどうかを判定するシークレット画像判定手段，ならびに
上記シークレット画像判定手段によってシークレット画像と判定されたことにより上記画像を上記ファインダ画面に表示し，上記ビューワ画面への表示を停止するように上記ファインダおよび上記ビューワを制御する表示制御手段，
を備えたディジタル・カメラ。
【請求項８】
目の大きさに対応した接眼用表示画面を有する接眼用表示装置および上記接眼用表示画面よりも大きな公開用表示画面を有する公開用表示装置を設け，
シークレット情報およびパブリック情報を入力し，
入力したシークレット情報およびパブリック情報を上記接眼用表示画面に表示するように上記接眼用表示装置を制御し，
入力したシークレット情報およびパブリック情報のうちのパブリック情報を上記公開用表示画面に表示するように上記公開用表示装置を制御する，
入力情報表示制御方法。
【請求項９】
被写体を撮像し，得られた被写体像を視認するファインダ画面をもつファインダと被写体像を表示するビューワ画面とを備えたディジタル・カメラにおいて，
シークレット情報およびパブリック情報を入力し，
入力したシークレット情報およびパブリック情報を上記ファインダ画面に表示するように上記ファインダを制御し，
入力したシークレット情報およびパブリック情報のうちのパブリック情報を上記ビューワ画面に表示するように上記ビューワを制御する，
ディジタル・カメラの制御方法。
【請求項１０】
目の大きさに対応した接眼用表示画面を有する接眼用表示装置および上記接眼用表示画面よりも大きな公開用表示画面を有する公開用表示画面を有する公開用表示装置を設け，
与えられる画像データによって表される画像がシークレット画像かどうかを判定し，
シークレット画像と判定されたことにより上記画像を上記接眼用表示画面に表示し，上記公開用表示画面への表示を停止するように上記接眼用表示装置および上記公開用表示装置を制御する，
画像表示装置の制御方法。
【請求項１１】
被写体を撮像し，得られた被写体像を表示するファインダ画面をもつファインダとビューワ画面をもつビューワとを備えたディジタル・カメラにおいて，
記録媒体に記録されている画像データを読み取り再生し，
再生された画像がシークレット画像かどうかを判定し，
シークレット画像と判定されたことにより上記画像を上記ファインダ画面に表示し，上記ビューワ画面への表示を停止するように上記ファインダおよび上記ビューワを制御する，
ディジタル・カメラの制御方法。
【発明の詳細な説明】
【技術分野】
【０００１】
この発明は，入力情報表示制御装置および方法ならびに画像表示装置およびディジタル・カメラ（カメラ付き携帯電話などディジタル・カメラの機能を有する情報機器を含む）ならびにそれらの制御方法に関する。
【背景技術】
【０００２】
ディジタル・スチル・カメラは，被写体を撮像することにより被写体像を表す画像データを，たとえばメモリ・カードに記録するものである。メモリ・カードに記録されている画像データを出力して，その画像データによって表される被写体像をプリントすることもできる。また，ディジタル・スチル・カメラの多くは再生機能を有し，表示画面が設けられていることが多いので，メモリ・カードに記録されている画像データを再生し，その表示画面に表示することもできる。
【０００３】
メモリ・カードには，多数駒の被写体像を表す画像データが記録されるからその被写体像の中には秘密にしたい画像が含まれていることもある。このためにディジタル・カメラにパスワードを入力する機能を設け，入力されたパスワードが一致した場合に，ディジタル・カメラから画像データを出力できるようにするものがある（特許文献１）。
【特許文献１】特開2000-125237
【０００４】
パスワードは，シークレット情報であるためにパスワードが入力されても表示されないことが多い。しかしながら，入力されたパスワードが表示されないと，パスワードを入力するユーザは正しいパスワードを入力したかどうかを確認できない。このようにパスワード入力には，秘密にしなければならないという要請とその確認の必要性という相反する特徴がある。
【０００５】
また，ディジタル・スチル・カメラには，キーパッドが設けられていないことが多いからパスワードを入力すること自体困難である。
【発明の開示】
【０００６】
この発明は，パスワードのようなシークレット情報を秘密にしつつ，入力したシークレット情報を確認できるようにすることを目的とする。
【０００７】
さらに，この発明は，パスワードを入力することなく秘密の画像を他人に見られないようにすることを目的とする。
【０００８】
第１の発明による入力情報表示制御装置は，シークレット情報およびパブリック情報を入力する入力装置，目の大きさに対応した接眼用表示画面を有する接眼用表示装置，上記入力装置から入力したシークレット情報およびパブリック情報を上記接眼用表示画面に表示するように上記接眼用表示装置を制御する接眼用表示制御手段，上記接眼用表示画面よりも大きな公開用表示画面を有する公開用表示装置，ならびに上記入力装置から入力したシークレット情報およびパブリック情報のうちのパブリック情報を上記公開用表示画面に表示するように上記公開用表示装置を制御する公開用表示制御手段を備えていることを特徴とする。
【０００９】
第１の発明は，上記入力情報表示制御装置に適した制御方法も提供している。すなわち，この方法は，目の大きさに対応した接眼用表示画面を有する接眼用表示装置および上記接眼用表示画面よりも大きな公開用表示画面を有する公開用表示装置を設け，シークレット情報およびパブリック情報を入力し，入力したシークレット情報およびパブリック情報を上記接眼用表示画面に表示するように上記接眼用表示装置を制御し，入力したシークレット情報およびパブリック情報のうちのパブリック情報を上記公開用表示画面に表示するように上記公開用表示装置を制御するものである。
【００１０】
第１の発明によると，入力装置からシークレット情報（パスワードなど他人に知られたくない情報）およびパブリック情報（ＩＤなど他人に知られても良い情報）が入力される。接眼用表示画面にはシークレット情報およびパブリック情報のいずれもが表示されるが，公開用表示画面にはシークレット情報は表示されずにパブリック情報が表示される。接眼用表示画面は，目の大きさに対応し，目を近づけるものである。したがって，接眼用表示画面にシークレット情報が表示されても他人には見えない。公開用表示画面に表示されている内容は他人によって見られてしまうが，公開用表示画面にはシークレット情報は表示されないので，シークレット情報が他人に知られてしまうことを未然に防止できる。パスワードなどのシークレット情報を他人に知られることなく入力でき，しかもその内容を確認できる。
【００１１】
上記公開用表示制御手段は，たとえば，上記入力装置から入力したシークレット情報およびパブリック情報のうちのパブリック情報を上記公開用表示画面に表示し，あらかじめ定められた符号（上記シークレット情報を構成する符号の数に対応した数をもつものでもよい）を上記公開用表示画面に表示するように上記公開用表示装置を制御するものである。
【００１２】
第２の発明は，被写体を撮像し，得られた被写体像を視認するファインダ画面をもつファインダと被写体像を表示するビューワ画面とを備えたディジタル・カメラにおいて，シークレット情報およびパブリック情報を入力する入力装置，上記入力装置から入力したシークレット情報およびパブリック情報を上記ファインダ画面に表示するように上記ファインダを制御するファインダ制御手段，ならびに上記入力装置から入力したシークレット情報およびパブリック情報のうちのパブリック情報を上記ビューワ画面に表示するように上記ビューワを制御するビューワ制御手段を備えていることを特徴とする。
【００１３】
第２の発明は，上記ディジタル・カメラに適した制御方法も提供している。すなわち，この方法は，被写体を撮像し，得られた被写体像を視認するファインダ画面をもつファインダと被写体像を表示するビューワ画面とを備えたディジタル・カメラにおいて，シークレット情報およびパブリック情報を入力し，入力したシークレット情報およびパブリック情報を上記ファインダ画面に表示するように上記ファインダを制御し，入力したシークレット情報およびパブリック情報のうちのパブリック情報を上記ビューワ画面に表示するように上記ビューワを制御するものである。
【００１４】
第２の発明においては，接眼用のファインダ画面には，入力されたシークレット情報およびパブリック情報が表示され，ビューワ画面には，入力されたシークレット情報は表示されずにパブリック情報が表示される。パスワードなどのシークレット情報はファインダ画面を除いているユーザにしか分からず，他人は分からない。シークレット情報を他人に知られることなく入力でき，しかもその内容を確認できる。
【００１５】
上記ファインダは，上記被写体像を結像する光学レンズと液晶表示装置とを有するものでもよい。この場合，上記ファインダ制御手段は，上記液晶表示装置に上記シークレット情報および上記パブリック情報を表示するものとなろう。
【００１６】
第３の発明による画像表示装置は，目の大きさに対応した接眼用表示画面を有する接眼用表示装置，上記接眼用表示画面よりも大きな公開用表示画面を有する公開用表示装置，与えられる画像データによって表される画像がシークレット画像かどうかを判定するシークレット画像判定手段，ならびに上記シークレット画像判定手段によってシークレット画像と判定されたことにより上記画像を上記接眼用表示画面に表示し，上記公開用表示画面への表示を停止するように上記接眼用表示装置および上記公開用表示装置を制御する表示制御手段を備えていることを特徴とする。
【００１７】
第３の発明は，上記画像表示装置に適した制御方法も提供している。すなわち，この方法は，目の大きさに対応した接眼用表示画面を有する接眼用表示装置および上記接眼用表示画面よりも大きな公開用表示画面を有する公開用表示画面を有する公開用表示装置を設け，与えられる画像データによって表される画像がシークレット画像かどうかを判定し，シークレット画像と判定されたことにより上記画像を上記接眼用表示画面に表示し，上記公開用表示画面への表示を停止するように上記接眼用表示装置および上記公開用表示装置を制御するものである。
【００１８】
第３の発明によると，与えられる画像データによって表される画像がシークレット画像かどうかが判定される。シークレット画像と判定されると，その画像は接眼用表示画面に表示されるが，公開用表示画面には表示されない。接眼用表示画面はユーザが除くので，そのほかの他人には見ることができない。シークレット画像が他人に見られてしまうことを未然に防止できる。
【００１９】
上記表示制御手段は，たとえば，上記シークレット画像判定手段によってシークレット画像と判定されたことにより上記画像を上記接眼用表示画面に表示し，上記公開用表示画面への表示を停止し，かつ警告文を表示するように上記接眼用表示装置および上記公開用表示装置を制御するものである。
【００２０】
第４の発明は，被写体を撮像し，得られた被写体像を表示するファインダ画面をもつファインダとビューワ画面をもつビューワとを備えたディジタル・カメラにおいて，記録媒体に記録されている画像データを読み取り再生する再生手段，上記再生手段によって再生された画像がシークレット画像かどうかを判定するシークレット画像判定手段，ならびに上記シークレット画像判定手段によってシークレット画像と判定されたことにより上記画像を上記ファインダ画面に表示し，上記ビューワ画面への表示を停止するように上記ファインダおよび上記ビューワを制御する表示制御手段を備えていることを特徴とする。
【００２１】
第４の発明は，上記ディジタル・カメラに適した制御方法も提供している。すなわち，この方法は，被写体を撮像し，得られた被写体像を表示するファインダ画面をもつファインダとビューワ画面をもつビューワとを備えたディジタル・カメラにおいて，記録媒体に記録されている画像データを読み取り再生し，再生された画像がシークレット画像かどうかを判定し，シークレット画像と判定されたことにより上記画像を上記ファインダ画面に表示し，上記ビューワ画面への表示を停止するように上記ファインダおよび上記ビューワを制御するものである。
【００２２】
第４の発明によると，与えられる画像データによって表される画像がシークレット画像かどうかが判定される。シークレット画像と判定されると，その画像は接眼用のファインダ画面に表示されるが，ビューワ画面には表示されない。接眼用のファインダ画面はユーザが除くので，そのほかの他人には見ることができない。シークレット画像が他人に見られてしまうことを未然に防止できる。
【実施例】
【００２３】
図１は，この発明の実施例を示すもので，ディジタル・スチル・カメラ１の背面図である。
【００２４】
ディジタル・スチル・カメラ１には，ほぼ直方体の本体部２と本体部２の上面に形成されているほぼ台形の形状を有する付属部３とが含まれている。付属部３の背面には接眼用ファインダ４が形成されている。接眼用ファインダ４は液晶表示装置によって構成されている。接眼用ファインダ４の画面（接眼用ビューワ画面）は人間の目の大きさにほぼ対応した大きさとされている。本体部２の上面において背面から見て付属部４の右側にはシャッタ・レリーズ・ボタン５が設けられている。
【００２５】
本体部２の背面には，そのほぼ全体に液晶ビューワ６が形成されている。液晶ビューワ６の画面（液晶ビューワ画面）の大きさは，接眼用ビューワ４の画面の大きさよりも大きい。液晶ビューワ６の右上には上下左右の矢印が押下可能に形成されている上下左右ボタン７が設けられている。この上下左右ボタン７の右側には回転自在であり，モード（撮像モード，再生モードなど）を設定するモード設定ダイアル８が設けられている。さらに，モード設定ダイアル８の下には，ＯＫボタン９およびキャンセル・ボタン10が設けられている。
【００２６】
背面から見て右側面には，回転自在であり，かつ押下可能な符号入力ダイアル11が設けられている。後述するように，符号入力ダイアル11の回転に応じてａからｚのアルファベットおよび０から９までの数字を指定でき，符号入力ダイアル11が押されることにより，指定されたアルファベットまたは数字（符号）を決定できる。
【００２７】
図２は，ディジタル・スチル・カメラ１の電気的構成を示すブロック図である。
【００２８】
ディジタル・スチル・カメラ１の全体の動作は，ＣＰＵ23によって統括される。
【００２９】
ディジタル・スチル・カメラ１には，上述したように，シャッタ・レリーズ・ボタン，ＯＫボタン，キャンセル・ボタン，上下左右ボタン，電源ボタン，モード設定ダイアル，符号入力ダイアルなどのボタン／ダイアル類27が含まれている。このボタン／ダイアル類27から出力される各種信号は，ＣＰＵ23に入力する。
【００３０】
モード設定ダイアルによって撮像モードが設定されると，ＣＣＤなどの撮像素子21によって被写体が撮像され，被写体像を表す映像信号が信号処理回路22に入力する。信号処理回路22において白バランス調整，アナログ／ディジタル変換処理などの所定の信号処理が行われ，被写体像を表すディジタル画像データが出力される。ディジタル画像データは，接眼用ファインダ４および液晶ビューワ６に与えられる。被写体像が接眼用ファインダ４および液晶ビューワ６のそれぞれの表示画面に表示される。
【００３１】
シャッタ・レリーズ・ボタンが押されると，撮像により得られたディジタル画像データはメモリ24に与えられ一時的に記憶される。ディジタル画像データは，メモリ24から読み出され，メモリ・インターフェイス25を介してメモリ・カード26に与えられ，記録される。必要に応じて画像データのデータ圧縮処理が行われ，データ圧縮された画像データがメモリ・カード26に記録されるのはいうまでもない。
【００３２】
再生モードが設定されると，メモリ・カード26に記録されている画像データがメモリ・インターフェイス25を介して読み取られる。読み取られたディジタル画像データが接眼用ファインダ４および液晶ビューワ６に与えられる。メモリ・カード26に記録されている画像データによって表される画像が接眼用ファインダ４および液晶ビューワ６のそれぞれの表示画面に表示されるようになる。必要に応じてデータ伸長処理が行われるのはいうまでもない。もっとも，後述するようにシークレット画像の場合には，接眼用ファインダ４の表示画面には表示されるが液晶ビューワ６の表示画面には表示されない。
【００３３】
図３は，ディジタル・スチル・カメラ１の使用時の処理手順を示すフローチャート，図４から図６は，ディジタル・スチル・カメラ１の背面図と接眼用ファインダ４に表示される画像の一例とを示している。
【００３４】
この実施例によるディジタル・スチル・カメラ１においては，ユーザＩＤ（パブリック情報）およびパスワード（シークレット情報）が入力され，入力されたユーザＩＤおよびパスワードが正しければディジタル・スチル・カメラ１を使用できるものである。ユーザＩＤおよびパスワードは，ディジタル・スチル・カメラ１のメモリ24にあらかじめ記憶されている。
【００３５】
まず，電源ボタンが押され，ディジタル・スチル・カメラ１の電源がオンとされる（ステップ31）。すると，ディジタル・スチル・カメラ１の接眼用ファインダ４の表示画面および液晶ビューワ６のそれぞれに使用確認画像が表示される（ステップ32）。
【００３６】
図４を参照して，接眼用ファインダ４には使用確認画像50が表示され，液晶ビューワ６には使用確認画像60が表示される。接眼用ファインダ４の表示画面に表示される使用確認画像50には，ユーザＩＤ表示領域51およびパスワード表示領域52が含まれている。また，液晶ビューワ６の表示画面に表示される使用確認画像60にもユーザＩＤ表示領域61およびパスワード表示領域62が含まれている。
【００３７】
後述するように，接眼用ファインダ４の表示画面に表示される使用確認画像50のユーザＩＤ表示領域51および液晶ビューワ６の表示画面に表示される使用確認画像60のユーザＩＤ表示領域61には入力されたユーザＩＤが表示される。これに対して，接眼用ファインダ４の表示画面に表示される使用確認画像50のパスワード表示領域52には，入力されたパスワードが表示されるが，液晶ビューワ６の表示画面に表示される使用確認画像60のパスワード表示領域62には入力されたユーザＩＤは表示されずにアスタリスクが表示される。このアスタリスクは，パスワードの入力に対応して表示される。最終的には，入力されたパスワードの桁数と同じ桁数のパスワードが表示される。もっとも異なる桁数のアスタリスクが表示されてもよい。
【００３８】
図３に戻って，符号入力ダイアル11を用いてユーザＩＤが入力される（ステップ33）。上述したように，符号入力ダイアル11を回転することにより，その回転に応じたアルファベットまたは数字がユーザＩＤ表示領域51および61に表示される。符号入力ダイアル11が押されることにより，ユーザＩＤ表示領域51および61に表示されているユーザＩＤを構成する符号が決定される。符号入力ダイアル11の回転と押下が繰り返され，ユーザＩＤ（パスワードも同様である）が入力される。入力されたユーザＩＤが接眼用ファインダ４に表示される。使用確認画像50のユーザＩＤ表示領域51および液晶ビューワ６に表示される使用確認画像60のユーザＩＤ表示領域61に表示される（図５参照）。
【００３９】
ユーザＩＤの入力が終わるとＯＫボタン９が押される（ステップ35でＹＥＳ）。すると，パスワードが入力されることとなる（ステップ36）。ユーザＩＤの場合と同様に符号入力ダイアル11を用いてパスワードが入力される。図６を参照して，入力されたパスワードは，接眼用ファインダ４に表示される使用確認画像50のパスワード表示領域52には表示されるが，液晶ビューワ６に表示される使用確認画像60のパスワード表示領域62には表示されない。パスワード表示領域62には，入力されたパスワードに対応してアスタリスクが表示される（ステップ38，図６参照）。
【００４０】
パスワードの入力が終わるとＯＫボタン９が押される（ステップ39でＹＥＳ），すると，入力されたユーザＩＤおよびパスワードが正しいものかどうかが確認される（ステップ40）。入力されたユーザＩＤおよびパスワードが正しくなければ（ステップ40でＮＯ），ステップ33からの処理が繰り返される。入力されたユーザＩＤおよびパスワードが正しければ（ステップ40でＮＯ），ディジタル・スチル・カメラ１の撮像回路，再生回路に電源が供給され（信号処理回路22などに電源が供給され），撮像および再生ができるようになる（ステップ41）。
【００４１】
パスワードは，接眼用ファインダ４には表示されるが，液晶ビューワ６には表示されないので，他人が液晶ビューワ６を除くことによりそのパスワードが知られてしまうことを未然に防止できる。接眼用ファインダ４はディジタル・スチル・カメラ１のユーザが覗くこととなるので，接眼用ファインダ４は他人は覗けない。接眼用ファインダ４に表示されるパスワードを他人が知ることもできない。接眼用ファインダ４には入力したパスワードが表示されるので，入力したパスワードが正しいかどうかを確認することもできる。
【００４２】
図７は，変形例を示すもので，ディジタル・スチル・カメラ１の背面図と接眼用ファインダ４に表示される画像の一例とを示している。
【００４３】
上述した実施例においては，ユーザＩＤが接眼用ファインダ４および液晶ビューワ６の両方に表示されている。しかしながら，図７に示すように液晶ビューワ６にはユーザＩＤもパスワードも表示せずに接眼用ファインダ４を覗く旨の指示が表示されるようにしてもよい。ユーザは，指示にしたがって接眼用ファインダ４を覗きながら，ユーザＩＤおよびパスワードを入力することとなる。
【００４４】
図８は，変形例を示すもので，ディジタル・スチル・カメラ１の背面図と接眼用ファインダ４Ａに表示される画像の一例とを示している。
【００４５】
上述した実施例においては接眼用ファインダ４は，液晶表示装置から構成されているが，図８に示す接眼用ファインダ４Ａは，光学レンズ71と液晶表示装置72とから構成されている。
【００４６】
接眼用ファインダ４Ａのほぼ全面には光学レンズ71が設けられている。この光学レンズ71によって被写体画像がユーザの目に結像する。被写体がユーザによって認識される。光学レンズ71の下には液晶表示装置の表示画面72が形成されている。液晶表示画面72に，シャッタ速度，絞り値などの撮像情報，ユーザＩＤ，パスワードなどのさまざまな情報が表示される。
【００４７】
液晶表示画面72に表示される情報の切替は符号入力ダイアル11によって行われる。たとえば，最初は設定されている撮像情報が液晶表示画面72に表示されており，符号入力ダイアル11が回転させられることにより，ユーザＩＤが液晶表示画面72に表示される（ユーザＩＤの入力が可能となる）。さらに，符号入力ダイアル11が回転させられることにより，パスワードが液晶表示画面72に表示される（パスワードの入力が可能となる）。
【００４８】
図９および図10は，他の実施例を示すものである。
【００４９】
図９は，再生モードの処理手順を示すフローチャート，図10は，ディジタル・スチル・カメラ１の背面図である。
【００５０】
この実施例によるディジタル・スチル・カメラ１は，他人に見られたくない画像（シークレット画像）については，液晶ビューワ６には表示しないものである。シークレット画像は接眼用ファインダ４に表示される。
【００５１】
再生モードに設定されると，メモリ・カード26に記録されている画像データが読み取られる（ステップ81）。読み取られた画像データによって表される画像がシークレット画像かどうかが判断される（ステップ82）。メモリ・カード16から読み取られた画像データが格納されている画像ファイルのヘッダ記録領域にシークレット画像かどうかを示すデータが記録されており，このデータにもとづいてシークレット画像かどうかを判定することができる。シークレット画像かどうかを示すデータは，シークレット画像指定ボタンが設けられていれば撮像時または再生時にそのシークレット画像指定ボタンが押されることにより撮像時または再生時の画像がシークレット画像として扱われ，ヘッダ記録領域にシークレット画像であることを示すデータが記録されよう。
【００５２】
シークレット画像であると（ステップ82でＹＥＳ），図10に示すように液晶ビューワ６の表示画面にはそのシークレット画像は表示されずに「接眼用ファインダを覗いてください」という警告文が表示される（ステップ83）。接眼用ファインダ４の表示画面には，シークレット画像が表示される（ステップ84）。接眼用ファインダ４は，ディジタル・スチル・カメラ１のユーザが覗くので他人が覗くことはできない。シークレット画像が他人に見られてしまうことを未然に防止できる。
【００５３】
シークレット画像でなければ（ステップ82でＮＯ），液晶ビューワ６および接眼用ファインダ４の両方に，メモリ・カード16から読み取られた画像データによって表される画像が表示される（ステップ85）。
【００５４】
画像の再生が続けられる場合には（ステップ86でＹＥＳ），ステップ81からの処理が繰り返される。たとえば，上下左右ボタン７の左矢印が押されると，表示されている画像の前の駒の画像が表示され，上下左右ボタン７の右矢印が押されると，表示されている画像の次の駒の画像が表示される。画像の再生が続けられる場合であってもシークレット画像であれば液晶ビューワ６には表示されないのはいうまでもない。
【００５５】
上述した実施例は，接眼用ビューファインダと液晶ビューワとを備えたディジタル・スチル・カメラについてのものであったが，この発明はディジタル・スチル・カメラに限らずユーザが接眼して見るような画像が表示される接眼用表示画面と接眼用表示画面よりも大きく他人に見られることが想定される画面（公開用表示画面）をもつような画像表示装置（画像再生装置）についても適用できる。
【図面の簡単な説明】
【００５６】
【図１】ディジタル・スチル・カメラの背面図である。
【図２】ディジタル・スチル・カメラの電気的構成を示すブロック図である。
【図３】ディジタル・スチル・カメラの電源がオンされるときの処理手順を示すフローチャートである。
【図４】ディジタル・スチル・カメラの背面図と接眼用ファインダに表示される確認用画像の一例である。
【図５】ディジタル・スチル・カメラの背面図と接眼用ファインダに表示される確認用画像の一例である。
【図６】ディジタル・スチル・カメラの背面図と接眼用ファインダに表示される確認用画像の一例である。
【図７】ディジタル・スチル・カメラの背面図と接眼用ファインダに表示される確認用画像の一例である。
【図８】ディジタル・スチル・カメラの背面図と接眼用ファインダに表示される確認用画像の一例である。
【図９】再生モードの処理手順を示すフローチャートである。
【図１０】ディジタル・スチル・カメラの背面図である。
【符号の説明】
【００５７】
１  ディジタル・スチル・カメラ
４  接眼用ファインダ（接眼用表示装置）
６  液晶ビューワ（公開用表示装置）
11  符号入力ダイアル（入力装置）
23  ＣＰＵ
【図１】
2005311547.tif 000003
【図２】
2005311547.tif 000004
【図３】
2005311547.tif 000005
【図４】
2005311547.tif 000006
【図５】
2005311547.tif 000007
【図６】
2005311547.tif 000008
【図７】
2005311547.tif 000009
【図８】
2005311547.tif 000010
【図９】
2005311547.tif 000011
【図１０】
2005311547.tif 000012